(57)【特許請求の範囲】
【請求項１】
ケーシングと、
前記ケーシング内に回転可能に収容され、複数のスクリュー溝を有するスクリューローターと、
前記スクリューローターのスクリュー溝に係合するそれぞれ複数の歯を有する一対のゲートローターと、を備え、
前記ケーシングと前記スクリューローターのスクリュー溝と前記ゲートローターの歯とで形成される空間を作動ガスの圧縮室とし、
前記圧縮室と前記ケーシング内の低圧室とを連通させて作動ガスの前記圧縮室への吸込み量を調整する容量制御手段を備え、圧縮された作動ガスを吐出口より吐出するようにしたスクリュー圧縮機において、
前記スクリュー溝のそれぞれの吐出側の端部は、前記スクリューローターの円周方向において第１の角度に亘って設けられており、
前記容量制御手段は、前記吐出口と分離して、該吐出口から前記円周方向に離れた位置に配置されており、
前記容量制御手段の前記吐出口寄りの端部と、前記吐出口の前記容量制御手段寄りの端部との間は、前記円周方向に第２の角度だけ離れており、
前記第２の角度は、前記第１の角度よりも大きくなっていることを特徴とするスクリュー圧縮機。
【請求項２】
前記容量制御手段は、前記スクリューローターの軸方向に移動するスライド弁を有し、
前記スライド弁は、吐出側へ移動することにより、前記圧縮室と前記低圧室とを連通させるバイパス口の開口面積を拡大するようになっていることを特徴とする請求項１記載のスクリュー圧縮機。
【請求項３】
前記容量制御手段は、前記スクリューローターの軸方向に移動するスライド弁を有し、
前記スライド弁は、吸い込み側へ移動することにより、前記圧縮室と前記低圧室とを連通させるバイパス口の開口面積を拡大するようになっていることを特徴とする請求項１記載のスクリュー圧縮機。
【請求項４】
前記スライド弁の吸込み側端面が、前記スクリューローターのスクリュー溝の螺旋形状に略一致するように形成されていることを特徴とする請求項２または３記載のスクリュー圧縮機。
【請求項５】
前記容量制御手段として、少なくとも１つ以上の管路形状のバイパスポートを形成し、前記バイパスポートと前記低圧室との間の管路に開閉弁を設けたことを特徴とする請求項１記載のスクリュー圧縮機。
【請求項６】
容量制御方法として、前記容量制御手段のほかに前記スクリューローターのインバータ駆動による回転数制御を併用することを特徴とする請求項１〜５のいずれかに記載のスクリュー圧縮機。
【発明の詳細な説明】
【技術分野】
【０００１】
本発明は、冷凍機やヒートポンプ、空気圧縮機械等に利用されるシングルスクリュー圧縮機（以下、スクリュー圧縮機という。）に関し、特にスクリュー圧縮機の容量制御機構および内部容積比可変機構に関するものである。
【背景技術】
【０００２】
スクリュー圧縮機においては、スクリューローター、ケーシング、ゲートローターなどで圧縮室が形成され、ケーシングには圧縮室と低圧室とをバイパスさせるバイパス口が設けられており、バイパス口に開度を調整する容量制御手段を設け、この容量制御手段を構成するスライド弁をスクリューローターの軸方向へ駆動させることでバイパス口の開口面積を調整し、容量制御を行う構造となっている。図１５に吐出口７およびスライド弁１０ａの配置関係を示すケーシング内筒面およびスクリューローター円筒面の展開図を、図１６にスライド弁１０ａの概略平面図を示す。このスライド弁１０ａは、図１６に示されるように、弁本体１０ｂ、連結部１０ｄ、ガイド部１０ｃで構成されており、弁本体１０ｂが吐出口７の一部として形成されている（連結部１０ｄの周りが吐出流路となっている）ため、連結部１０ｄが吐出流路を阻害し、冷媒ガスの流路抵抗となっていた。そのため、従来技術では、この流路抵抗を低減するため、図１７に示されるように、スライド弁１０ａの連結部１０ｄを吐出開口端面（吐出口７の開度を調整する弁本体１０ｂの吐出側の傾斜状端面）ａがガイド部１０ｃに近づく幅方向一側に偏位させる構造としている（例えば、特許文献1参照）。
【先行技術文献】
【特許文献】
【０００３】
【特許文献１】特許第３２１４１００号公報（第２−３頁、図３）
【発明の概要】
【発明が解決しようとする課題】
【０００４】
特許文献1に示された容量制御手段では、スライド弁の連結部を吐出開口端面がガイド部に近づく幅方向一側に偏位させているものの、吐出流路内に連結部が存在しているため冷媒ガスの流路抵抗となり、吐出圧力損失が増大するためスクリュー圧縮機の性能が低下するという問題があった。さらに、スライド弁本体の吐出開口端面が吐出口の一部として形成されているため、容量制御時には吐出口を形成する吐出開口端面についても同時に移動するため、図１８に示されるように吐出口面積が減少して定格性能および部分負荷特性が低下するなどの問題があった。
【０００５】
本発明は、上記のような課題を解決するためになされたものであり、吐出口を形成する機能と容量を調整する機能とを分離することにより、吐出口部分にスライド弁の連結部を配置する必要がなくなり、流路抵抗が小さくなることで吐出圧力損失を低減でき、性能を向上させることができるスクリュー圧縮機を提供することを目的とする。
また、容量制御時においては、容量制御手段となるスライド弁が移動しても吐出口面積が減少することなく一定に保持することで、部分負荷特性を向上させることができるスクリュー圧縮機を提供することを目的とする。
【課題を解決するための手段】
【０００６】
本発明に係るスクリュー圧縮機は、ケーシングと、ケーシング内に回転可能に収容され、複数のスクリュー溝を有するスクリューローターと、スクリューローターのスクリュー溝に係合するそれぞれ複数の歯を有する一対のゲートローターと、を備え、ケーシングとスクリューローターのスクリュー溝とゲートローターの歯とで形成される空間を作動ガスの圧縮室とし、圧縮室とケーシング内の低圧室とを連通させて作動ガスの圧縮室への吸込み量を調整する容量制御手段を備え、圧縮された作動ガスを吐出口より吐出するようにしたスクリュー圧縮機において、スクリュー溝のそれぞれの吐出側の端部は、スクリューローターの円周方向において第１の角度に亘って設けられており、容量制御手段は、吐出口と分離して、該吐出口から円周方向に離れた位置に配置されており、容量制御手段の吐出口寄りの端部と、吐出口の容量制御手段寄りの端部との間は、円周方向に第２の角度だけ離れており、第２の角度は、第１の角度よりも大きくなっているものである。
【発明の効果】
【０００７】
本発明では、容量制御手段は、吐出口と分離して、該吐出口より円周方向に離れた位置に配置されているので、吐出口を形成する機能と容量を調整する機能とが分離されるため、従来のように吐出口部分にスライド弁の連結部を配置する必要がなくなり、その結果、流路抵抗が小さくなり、吐出圧力損失を低減でき、スクリュー圧縮機の性能を向上させることができる。
【図面の簡単な説明】
【０００８】
【図１】本発明の実施の形態１に係るスクリュー圧縮機の概略断面図である。
【図２】スクリュー圧縮機の容量制御手段を示す概略断面図である。
【図３】図２の横断面を示す概略断面図である。
【図４】図２のＡ−Ａ断面図である。
【図５】スクリュー圧縮機の圧縮原理を説明するための模式図である。
【図６】容量制御手段と吐出口の配置関係を示すケーシング内筒面およびスクリューローター円筒面の展開図である。
【図７】１００％全容量時と容量制御時における容量制御手段の状態を示す模式図である。
【図８】スクリューローター回転角度と圧縮室内圧変化の例を示す図である。
【図９】実施の形態１の変形例による固定部品と吐出口の配置関係を示すケーシング内筒面およびスクリューローター円筒面の展開図である。
【図１０】上記変形例のスクリュー圧縮機の概略断面図である。
【図１１】容量制御手段と吐出口の配置関係を示すケーシング内筒面およびスクリューローター円筒面の展開図である。
【図１２】本発明の実施の形態２による容量制御手段と吐出口の配置関係を示すケーシング内筒面およびスクリューローター円筒面の展開図である。
【図１３】本発明の実施の形態３による容量制御手段の吸込側端面形状を示すケーシング内筒面およびスクリューローター円筒面の展開図である。
【図１４】本発明の実施の形態４による管路形状のバイパスポートを示すケーシング内筒面およびスクリューローター円筒面の展開図である。
【図１５】従来技術の容量制御手段と吐出口の配置関係を示すケーシング内筒面およびスクリューローター円筒面の展開図である。
【図１６】従来技術の容量制御手段を構成するスライド弁の概略平面図である。
【図１７】スライド弁の連結部を吐出開口端面がガイド部に近づく幅方向一側に偏位させる従来技術を示すケーシング内筒面およびスクリューローター円筒面の展開図である。
【図１８】従来技術で容量制御を行った場合のスライド弁位置および吐出口を示すケーシング内筒面およびスクリューローター円筒面の展開図である。
【発明を実施するための形態】
【０００９】
以下、本発明に係るスクリュー圧縮機の実施の形態を図面に基づいて説明する。なお、従来技術と同一又は相当するものについては同一符号を付して説明する。
【００１０】
実施の形態１．
図１は本発明の実施の形態１に係るスクリュー圧縮機の要部を示す概略断面図、図２はこのスクリュー圧縮機の容量制御手段を示す概略断面図、図３は図２の横断面を示す概略断面図、図４は図２のＡ−Ａ断面図である。
この実施の形態１に係るスクリュー圧縮機は、図１から図４に示すように、筒状のケーシング１と、このケーシング１内に収容されたスクリューローター２と、このスクリューローター２を回転駆動するモーター３と、スクリューローター２の回転軸（スクリュー軸）２１に対し直交状態で、かつ、軸対称に配置された一対のゲートローター４とを備えている。
【００１１】
スクリューローター２は、円柱体の表面に複数の螺旋状の溝（スクリュー溝）２２を形成したものである。ケーシング１は、隔壁１１によって高圧側と低圧側とに仕切られており、隔壁１１が形成されたケーシング内筒１２にスクリューローター２が回転自在に収容されている。スクリューローター２が固定される回転軸２１は、その高圧側軸端部が軸受２５により回転自在に支持されている。回転軸２１の低圧側軸端部は、モーター３の回転子（モーターローター）３１に連結されている。このスクリューローター２とモーターローター３１とは互いに同一軸上に配置されている。また、モーターローター３１を内包するステーター３２は、ケーシング１に内接固定されている。なお、モーター３は必ずしもケーシング１に内蔵する必要はなく、ケーシング１外に連接してもよい。
ゲートローター４はそれぞれ、スクリューローター２のスクリュー溝２２に係合する矩形状などの歯４１（図５参照）を複数円周方向に等角度の間隔で形成したものである。
【００１２】
冷媒ガス等の作動ガスの圧縮機構は、ケーシング１と、スクリューローター２と、ゲートローター４とで構成される。そして、作動ガスの圧縮室５は、ケーシング１のケーシング内筒１２と、スクリューローター２のスクリュー溝２２と、スクリュー溝２２に係合する２つのゲートローター４の歯４１とで囲まれた空間により形成される。
【００１３】
ケーシング１の高圧側には吐出室６に開口する吐出口７が形成されている。吐出口７はケーシング内筒１２に形成されている。また、スクリュー溝２２の一方の端部はケーシング１の低圧室８に開放されており、この開放端部が作動ガスの吸込口９となっている。さらに、ケーシング１には圧縮室５と低圧室８とをバイパスさせるバイパス口に容量制御手段１０が設けられている。このバイパス口および容量制御手段１０については以下に詳しく説明する。
【００１４】
この容量制御手段１０は、図２および図４に示すように、断面形状が三日月形の棒状部材からなるスライド弁１０ａで構成されており、スライド弁１０ａはスクリューローター２の軸方向に移動するように構成されている。また、このスライド弁１０ａはケーシング１を部分的に半径方向に膨出させた弁室１３に摺動自在に収められている。容量制御手段１０すなわちスライド弁１０ａの駆動機構５０は、特に図示のものに限られるものではなくモーター等を用いてもよいが、ここでは例えば図４に示すようなシリンダー機構で構成されている。すなわち、このスライド弁駆動機構５０は、高圧側の蓋体５１に設けられたシリンダー５２と、シリンダー５２内に嵌入されたピストン５３にロッド５４で連結されたアーム５５とを備え、このアーム５５にそれぞれスライド弁１０ａをバネ５６を介してロッド５７で連結するものである。なお、バネ５６はアーム５５とシリンダー５２のフランジ部との間に介装され、スライド弁１０ａを常にバイパス口１４を開く方向に付勢している。
【００１５】
上記のように構成されたスライド弁１０ａの駆動機構５０において、ピストン５３の背面側空間（ピストン５３とシリンダー用蓋との間の空間）５８に流体圧が導入されると、各スライド弁１０ａは、図４において右側（バイパス口１４を閉じる）方向へ移動し、空間５８の内圧を減少すると、流体圧およびバネ５６の力のバランスにより各スライド弁１０ａは、反対のバイパス口１４を開く方向へ移動する。このようにして、ピストン５３の前後の空間における圧力およびスライド弁１０ａにかかる圧力、バネ５６の力のバランスを調整することでスライド弁１０ａが移動し、バイパス口１４の開度が調整され、圧縮室５から低圧室８へ流出させることにより、圧縮室５へ吸入される吸入ガス流量の容量制御を行うことができる。
【００１６】
ここで、上記のように構成されたスクリュー圧縮機の圧縮機構の動作について、図５を参照して説明する。
スクリュー圧縮機の圧縮機構は、スクリューローター２の回転により、吸入行程、圧縮行程、吐出行程を繰り返すようになっている。
図５（ａ）は吸入行程における圧縮室５の状態を示している。スクリューローター２がモーター３により駆動されて実線矢印の方向に回転すると、図５において下側のゲートローター４はスクリューローター２の回転に伴い点線矢印の方向に回転し、上側のゲートローター４はこれと反対の方向に回転する。吸入行程においては、圧縮室５は最も拡大した容積となっており、作動ガスが低圧室８の吸込口９から流入してその圧縮室５を満たしている。
【００１７】
さらにスクリューローター２が回転すると、圧縮室５内の作動ガスは、図５（ｂ）のように２つのゲートローター４の歯４１が順次吐出口７の方へ回転移動し、これにより作動ガスが圧縮室５内に閉じ込められて圧縮行程にはいる。
引き続きスクリューローター２が回転すると、圧縮室５は図５（ｃ）に示すように、容積が最小となり、これにより圧縮された高圧の作動ガスが吐出口７より吐出室６へ吐出される。そして、再び図５（ａ）から吸入が繰り返される。圧縮された高圧の作動ガスは、吐出室６から機外に取り出されて、例えば冷凍サイクル回路を循環するように構成される。
【００１８】
容量制御手段１０と吐出口７との配置関係を図６および図７により説明する。容量制御手段１０は、高圧の作動ガスが圧縮室５から低圧室８へバイパスさせる機能があり、吸込ガスが圧縮室５に閉じ込められるタイミングを調整する構成としている。このように構成されたスクリュー圧縮機において、容量制御手段１０は、図６および図７に示すように、吐出口７とは分離され、吐出口７より円周方向に離れた位置に配置されている。すなわち、容量制御手段１０であるスライド弁１０ａの弁本体が、吐出開口端面ａとして吐出口７の一端を担わずに、バイパス口１４の開度を調整するようにケーシング内筒面およびスクリューローター円筒面部の異なる角度範囲に配置されている。なお、図６および図７（ａ）では容量制御手段１０がバイパス口を締め切っている状態、すなわち１００％全容量を圧縮室５に閉じ込めた高負荷運転の状態を示している。図７（ｂ）はバイパス口を開き容量制御を実施している状態を示している。
【００１９】
上述のように吐出口７と容量制御手段１０とを分離し、スライド弁１０ａの弁本体が吐出開口端面ａとして吐出口７の一端を担わない位置に配置することで、従来例に示すような弁本体１０ｂとガイド部１０ｃとを連結する連結部１０ｄにより、吐出口面積が阻害されることがなくなり、流路抵抗が小さくなるため吐出圧力損失を低減でき、スクリュー圧縮機の性能を向上させることができる。
【００２０】
さらに、容量制御を実施した場合のスクリューローター回転角度に対する圧縮室内圧力上昇を図８に示す。この実施の形態１の構成によれば、吐出口７の位置は容量制御手段１０の位置とは分離されているので、容量制御を実施した場合にも吐出口７は一定の開口面積を保持したまま固定されている。そのため、吐出口７が開口するタイミングは変更されず、吸込完了タイミングのみが変更されることになる。したがって、吐出口７が開口するタイミングが固定されているため、吸込完了タイミングが変更されることで吐出時点での圧縮室５の容積に対する吸込ガス閉じこみ完了時点での圧縮室５の容積の比率、すなわち内部容積比も連動して変更されることとなり、図８に示すように圧縮室５内の圧力上昇も異なるものとなる。
【００２１】
図８の例では、従来構成は容量制御時に吐出口７が開口するタイミングが遅れるため、凝縮圧力に対する圧力上昇が大きく過圧縮状態となっている条件であり、損失が大きい。ここで、特に大形チラーでの運転領域においては年間を通した使用を考えた場合、低負荷時には低差圧運転、高負荷時には高差圧運転となる例が多いため、本実施の形態のような手段で容量制御される場合、低差圧運転となる低負荷時では吐出開始タイミングが固定された状態で吸込完了タイミングが遅れるように容量制御されるために、吸込完了タイミングが遅れることと連動して内部容積比が小さくなるため、過圧縮状態を低減でき、さらにはその損失を低減することができる。また、高差圧運転となる高負荷時においては負荷が大きいため、容量制御によるバイパス口を開く必要がない。したがって、吸込完了タイミングが遅れることがないため、内部容積比が大きい状態となり不足圧縮による損失を低減することができる。
【００２２】
さらに上述したように、本実施の形態の容量制御手段１０では容量制御機能と内部容積比可変機能とが連動しているため、スクリューローター２のインバータ駆動による回転数制御による容量制御を併用することで、より緻密な容量制御および内部容積比の調整を実施することが可能となる。
【００２３】
ここで、実施の形態１の変形例について、図９および図１０を参照して説明する。この変形例は、吐出口７の吸込み側の端面、すなわち吐出開口端面ａに関するものである。この吐出開口端面ａは、一般にスクリュー溝２２の螺旋形状に略一致するように斜めの形状に形成されている。ケーシング１は一般に鋳物で作られるので、このような斜めの形状をした吐出開口端面ａをもつ吐出口７を形成することは比較的容易である。しかしながら、鋳物製の場合は精密な寸法精度の要求が困難な場合があるので、図９に示すように、固定部品１５を吐出口７部の上に挿入して、この固定部品１５により斜めの形状をした吐出開口端面ａを形成するようにする。固定部品１５は、図１０に示すように、容量制御手段１０のスライド弁１０ａと同様に三日月形の断面形状を有する棒状部材であり、ケーシング１に膨出部を形成し、その弁室１３に吐出口７と対向するように挿入し固定される。
【００２４】
このように構成することにより、吐出口７と容量制御手段１０を分離させても加工品である固定部品を挿入することで、より容易に精度よく吐出口７を形成することができる。
【００２５】
図１１は本発明の容量制御手段１０と吐出口７の配置関係を示すケーシング内筒面およびスクリューローター円筒面の展開図である。
容量制御手段１０となるスライド弁１０ａは、連続的、あるいはステップ的に移動させるものとし、これによって吐出口７の面積を一定に保持した状態でスクリュー圧縮機の吸込容量を調整することができる。
また、吐出口７は吐出開口端面ａが固定された構造となっているため、容量制御時にスライド弁１０ａが移動しても吐出口７の面積が減少することがなく、吐出圧力損失を低減することができ、容量制御運転時の性能、すなわち部分負荷特性についても向上させることができる。
なお、スライド弁１０ａを駆動させる方法としては冷媒ガス、油、モータによるものなど特に限定されるものではない。
【００２６】
実施の形態２．
図１２は本発明の実施の形態２による容量制御手段１０と吐出口７の配置関係を示すケーシング内筒面およびスクリューローター円筒面の展開図である。
実施の形態１では、容量制御手段１０となるスライド弁１０ａをスクリューローター２の軸方向吐出側へ移動することによって圧縮室５と低圧室８とを連通させるバイパス口１４の開口面積を拡大させる構造としたが、この実施の形態２では、図１２に示すようにスライド弁１０ａを上記と反対方向、すなわちスクリューローター２の軸方向吸込側へ移動させることによって、圧縮室５と低圧室８とを連通させるバイパス口１４の開口面積を拡大させる構造としたものである。
このように構成することでスライド弁１０ａを吸込側へ移動させる構造となるため、スライド弁１０ａを移動させるために必要な隙間を吐出側へ設ける必要がなく、吐出側からの漏れが小さくなることでさらにスクリュー圧縮機の性能を向上させることができる。
【００２７】
実施の形態３．
図１３は本発明の実施の形態３による容量制御手段１０の吸込側端面形状を示すケーシング内筒面およびスクリューローター円筒面の展開図である。
実施の形態１〜２では、容量制御手段１０となるスライド弁１０ａをスクリューローター２の軸方向に移動させることで圧縮室５と低圧室８とをバイパスさせる構造について述べたが、この実施の形態３では、図１３に示すようにスライド弁１０ａの吸込側端面ｂをスクリューローター２のスクリュー溝２２の螺旋形状に略一致させる構造としたものである。
このように構成することでスライド弁１０ａを吸込側へ移動させる構造となるため、スライド弁１０ａを移動させるために必要な隙間を吐出側へ設ける必要が無く、吐出側からの漏れが小さくなることでさらにスクリュー圧縮機の性能を向上させることができる。
【００２８】
実施の形態４．
図１４は本発明の実施の形態４による容量制御手段１０を管路形状のバイパスポート１６とした場合のケーシング内筒面およびスクリューローター円筒面の展開図である。
以上の実施の形態１〜３では、吐出口７と容量制御機構１０を分離して配置して機能を分ける構成とし、スライド弁１０ａをスクリューローター２の軸方向へ移動させることで容量制御を行う場合について述べたが、この実施の形態４では、図１４に示すように吐出口７と分離して配置した容量制御手段１０の別の構成として、ケーシング内筒１２の吸込側に圧縮室５から低圧室８へつながる少なくとも一つ以上の管路形状のバイパスポート１６を形成し、バイパスポート１６と低圧室８との間の管路に開閉弁（図示省略）を設けるものである。
【００２９】
このように構成することにより、運転状況により開閉弁（図示省略）を開閉することで作動ガスの吸込み容量が調整可能となり、吐出口７の開口面積を阻害されることなく流路を確保した状態で吸込容量を調整することができ、性能向上を達成することができる。また、容量制御手段として圧縮室５から低圧室８へつながる管路形状のバイパスポート１６と開閉弁（図示省略）のみで構成することができるため、複雑な構造を必要とせず簡易に、かつ安価に構成することができる。
【符号の説明】
【００３０】
１  ケーシング、２  スクリューローター、３  モーター、４  ゲートローター、５  圧縮室、６  吐出室、７  吐出口、８  低圧室、９  吸込口、１０  容量制御手段、１０ａ  スライド弁、１１  隔壁、１２  ケーシング内筒、１３  弁室、１４  バイパス口、１５  固定部品、１６  管路形状バイパスポート、２１  回転軸、２２  スクリュー溝、２３  圧縮室、２５  軸受、３１  モーターローター、３２  ステーター、４１  歯、５０  スライド弁駆動機構、５１  蓋体、５２  シリンダー、５３  ピストン、５４  ロッド、５５  アーム、５６  バネ、５７  ロッド、５８  ピストンの背面側空間、ａ  吐出開口端面、ｂ  吸込側端面。
【図１】
0005854594.tif 000002
【図２】
0005854594.tif 000003
【図３】
0005854594.tif 000004
【図４】
0005854594.tif 000005
【図５】
0005854594.tif 000006
【図６】
0005854594.tif 000007
【図７】
0005854594.tif 000008
【図８】
0005854594.tif 000009
【図９】
0005854594.tif 000010
【図１０】
0005854594.tif 000011
【図１１】
0005854594.tif 000012
【図１２】
0005854594.tif 000013
【図１３】
0005854594.tif 000014
【図１４】
0005854594.tif 000015
【図１５】
0005854594.tif 000016
【図１６】
0005854594.tif 000017
【図１７】
0005854594.tif 000018
【図１８】
0005854594.tif 000019